(57)【要約】ＤＶＤ−Ｒ／ＲＷおよび＋ＲＷ／＋Ｒ規格の両フォーマットに対応した小面積型の回路を内蔵した光ディスク記録装置を提供する。＋ＲＷ／＋Ｒ規格である３２Ｔ周期のウォブ２値化信号を、ＤＶＤ−Ｒ／ＲＷ規格である１８６Ｔ周期のウォブル２値化信号へ変換する回路（１０６）を設けることで、＋ＲＷ／＋Ｒ記録時は変換した１８６Ｔ周期のウォブル２値化信号を、また、ＤＶＤ−Ｒ／ＲＷ記録時は１８６Ｔ周期のウォブル２値化信号をセレクタ（１０８）で選択し、後段のＰＬＬ回路を共有化することで回路規模を小さくする。
2005031742.tif 000002
【特許請求の範囲】
【請求項１】
記録時の周波数の規格の異なるメディアに同一記録装置を用いて記録を行なう際の記録クロックを生成する装置において、
入力された＋ＲＷ／＋Ｒ規格である３２Ｔ周期のウォブル２値化信号を、ＤＶＤ−Ｒ／ＲＷ規格である１８６Ｔ周期のウォブル２値化信号へ変換する周波数変換回路と、
上記周波数変換回路の出力である変換１８６Ｔ周期のウォブル２値化信号と、入力された１８６Ｔ周期のウォブル２値化信号のいずれか一方の出力を切り替えて出力するセレクタと、
上記セレクタの出力を受け、ウォブル２値化信号を１８６逓倍するＰＬＬ回路と、
を備えたことを特徴とする記録クロック生成装置。
【請求項２】
記録時の周波数の規格の異なるメディアに同一記録装置を用いて記録を行なう際の記録クロックを生成する装置において、
入力されたＤＶＤ−Ｒ／ＲＷ規格である１８６Ｔ周期のウォブル２値化信号を、＋ＲＷ／＋Ｒ規格である３２Ｔ周期のウォブル２値化信号へ変換する周波数変換回路と、
上記周波数変換回路の出力である変換３２Ｔ周期のウォブル２値化信号と、入力された３２Ｔ周期のウォブル２値化信号のいずれか一方の出力を切り替えて出力するセレクタと、
上記セレクタの出力を受け、ウォブル２値化信号を３２逓倍するＰＬＬ回路と、
を備えたことを特徴とする記録クロック生成装置。
【請求項３】
請求の範囲第１記載の記録クロック生成装置において、
＋ＲＷ／＋Ｒ規格であるＡＤＩＰ２値化信号を、ＤＶＤ−Ｒ／ＲＷ規格であるランドプリピット２値化信号へ変換する回路と、上記ランドプリピット２値化信号から偶数シンクデータ，奇数シンクデータ，０データおよび１データを検出する回路と、を有する物理アドレスデータデコード装置を、備えたことを特徴とする記録クロック生成装置。
【請求項４】
請求の範囲第２記載の記録クロック生成装置において、
ＤＶＤ−Ｒ／ＲＷ規格であるランドプリピット２値化信号を、＋ＲＷ／＋Ｒ規格であるＡＤＩＰ２値化信号へ変換する回路と、上記ＡＤＩＰ２値化信号からシンクデータ，０データおよび１データを検出する回路と、を有する物理アドレスデータデコード装置を、備えたことを特徴とする記録クロック生成装置。
【請求項５】
請求の範囲第１記載の記録クロック生成装置において、
＋ＲＷ／＋Ｒ規格であるＡＤＩＰ２値化信号をＤＶＤ−Ｒ／ＲＷ規格であるランドプリピット２値化信号へ変換する回路と、
ＤＶＤ−Ｒ／ＲＷ規格である１８６Ｔ周期のウォブル２値化信号と、ランドプリピット２値化信号との位相調整を行なう位相調整回路と、
を備えたことを特徴とする記録クロック生成装置。
【請求項６】
請求の範囲第２記載の記録クロック生成装置において、
ＤＶＤ−Ｒ／ＲＷ規格であるランドプリピット２値化信号を、＋ＲＷ／＋Ｒ規格であるＡＤＩＰ２値化信号へ変換する回路と、
＋ＲＷ／＋Ｒ規格である３２Ｔ周期のウォブル２値化信号と、上記ＡＤＩＰ２値化信号との位相調整を行なう位相調整回路と、
を備えたことを特徴とする記録クロック生成装置。
【請求項７】
記録時の周波数の規格の異なるメディアに同一記録装置を用いて記録を行なう際の記録クロックを生成する装置において、
入力された第１の規格である第１の周期のウォブル２値化信号を、第２の規絡である第２の周期のウォブル２値化信号へ変換する周波数変換回路と、
上記周波数変換回路の出力である第２の周期のウォブル２値化信号と、入力された第２の周期のウォブル２値化信号のいずれか一方の出力を切り替えて出力するセレクタと、
上記セレクタの出力を受け、ウォブル２値化信号を、ウォブル周期から、記録クロックの周期となるように逓倍するＰＬＬ回路と、
を備えたことを特徴とする記録クロック生成装置。
【発明の詳細な説明】
【技術分野】  本発明は、記録クロック生成装置に関し、特にＤＶＤ−Ｒ／ＲＷおよび＋ＲＷ／＋Ｒ双方の記録に対応した装置の、ウォブルＰＬＬ回路および物理アドレスデータデコード回路の共有化に関するものである。
【背景技術】  従来のＤＶＤ−Ｒ／ＲＷおよび＋ＲＷ／＋Ｒ記録装置は、例えば、第６図のように構成される。この装置は、１８６逓倍ウォブルＰＬＬ回路と３２逓倍ウォブルＰＬＬ回路の両方を備えている。これらの方式の記録媒体には光ディスク上の記録位置（トラック）を特定するための目的で、未記録状態であってもアドレス情報、付加情報、同期信号が記録されているのが通常である。上記アドレス情報、付加情報の変調方式として、ＤＶＤ−Ｒ／ＲＷにはランドプリピット（以下、ＬＰＰともいう）フォーマットが採用され、＋ＲＷ／＋Ｒには、ウォブル位置変調（以下、ＡＤＩＰとも言う）フォーマットが採用されている。
図において、６０１はウォブル信号であり、ノイズ除去のためのタイムドメインフィルタ６０２に入力される。タイムドメインフィルタ６０２でノイズが除去された信号は後段のウォブル周期平均化回路６０３に入力され、ここで、周期のバラツキが平均化されて出力される。
位相補正回路６１４は、ＡＤＩＰ信号に対する、周期を変換したことによる記録データのタイミングずれを補正して位相補償を行うものであり、セレクタ６１５により、ＬＰＰ信号かタイミング変換回路６１６を介して出力されたＡＤＩＰ信号かのいずれか一方の信号が入力される構成となっている。
位相比較器６０４はウォブル周期平均化回路６０３の出力とセレクタ６１２の出力との位相を比較する。６０５は、後段のアナログ回路であるＶＣＯ（電圧制御発振器）を制御するために、位相比較器６０４の出力をデジタル／アナログ変換するチャージポンプ、６０６はチャージポンプ６０５の出力を後段のＶＣＯ（電圧制御発振器）６０７に出力するか、ＶＣＯ６０８に出力するのか、のいずれかを切り替えるセレクタである。
６０９はＶＯＣ６０７，ＶＯＣ６０８のいずれか一方の出力を選択して後述する演算回路６１３に出力するセレクタ、６１０は１／１８６分周器、６１１は１／３２分周器、６１２は１／１８６分周期６１０，１／３２分周期６１１のいずれかの出力を選択して出力するセレクタである。また、６１３は基準クロックの分周、ＰＬＬロックアンロックの検出、周波数のずれの検出や位相反転の検出などの処理を行なう演算回路である。
また、６１７はＬＰＰ２値化信号をデコードしてアドレスデータを出力するＬＰＰデコーダー、６１８はＡＤＩＰ２値化信号をデコードしてアドレスデータを出力するＡＤＩＰデコーダーである。また、６９１は上記ＬＰＰデコーダー６１７またはＡＤＩＰデコーダー６１８のいずれか一方の出力を選択してアドレスデータとして出力するセレクタである。
この構成では、入力信号がＤＶＤ−Ｒ／ＲＷ規格のランドプリピット信号である場合には、セレクタ６０６により入力信号がＶＣＯ（６０７）に入力されるように切り替え、１／１８６分周器６１０の出力がセレクタ６１２により選択されて位相比較器６０４に出力されるとともに、演算回路６１３によって基準クロックとのズレが計算され、ＰＬＬ回路がロック状態であることを示す信号ＷＰＬＬＯＫ６１５と、記録クロック周波数ＯＫ信号ＷＲＥＦＯＫ６１６とが出力される。
以上のように、＋ＲＷ／＋Ｒ規格のウォブル２値化信号から検出したアドレス情報を、ＤＶＤ−Ｒ／ＲＷ規格のランドプリピット信号に変換する手段を設けることで、上述した複数の光ディスクに対して、記録・再生を行うマルチ光ディスク対応記録装置もある（例えば、特許文献１および特許文献２参照）。この装置は、ウォブル２値化信号からアドレス情報を検出し、ウオブル２値化信号の周期も考慮にいれたアドレス情報をＤＶＤ−Ｒ／ＲＷ規格のランドプリピット信号に変換することにより、２つの同期信号間での周期保護を行い、ディスク上への誤った位置への記録による記録済データの破壊を防止することを目的としている。
【特許文献１】特開２００３−１０００１５号公報
【特許文献２】特開２００３−１２３２５７号公報
従来のＤＶＤ−Ｒ／ＲＷおよび＋ＲＷ／＋Ｒ記録装置の記録クロック生成装置は以上のように構成されており、ＤＶＤ−Ｒ／ＲＷ規格および＋ＲＷ／＋Ｒ規格それぞれのフォーマットに対応したそれぞれのＰＬＬ回路を内蔵するため、装置の回路規模が大きくなってしまうためコスト面で不利となる問題点があった。
また、同期保護を目的とした、＋ＲＷ／＋Ｒ規格のウォブル２値化信号からＤＶＤ−Ｒ／ＲＷ規格のランドプリピット信号に変換する手段は、変換回路の構成が複雑となるという問題点があった。
この発明は以上のような問題点を解消するためになされたもので、ＤＶＤ−Ｒ／ＲＷ規格および＋ＲＷ／＋Ｒ規格の各フォーマットに対応し、回路規模が大きくならないＤＶＤ−Ｒ／ＲＷおよび＋ＲＷ／＋Ｒ記録装置の記録クロック生成装置を提供することを目的とする。
【発明の開示】
本発明（請求の範囲第１項）にかかる記録クロック生成装置は、記録時の周波数の規格の異なるメディアに同一記録装置を用いて記録を行なう際の記録クロックを生成する装置において、入力された＋ＲＷ／＋Ｒ規格である３２Ｔ周期のウォブル２値化信号を、ＤＶＤ−Ｒ／ＲＷ規格である１８６Ｔ周期のウォブル２値化信号へ変換する周波数変換回路と、上記周波数変換回路の出力である変換１８６Ｔ周期のウォブル２値化信号と、入力された１８６Ｔ周期のウォブル２値化信号のいずれか一方の出力を切り替えて出力するセレクタと、上記セレクタの出力を受け、ウォブル２値化信号を１８６逓倍するＰＬＬ回路と、を備えたことを特徴とするものである。
また、本発明（請求の範囲第２項）にかかる記録クロック生成装置は、記録時の周波数の規格の異なるメディアに同一記録装置を用いて記録を行なう際の記録クロックを生成する装置において、入力されたＤＶＤ−Ｒ／ＲＷ規格である１８６Ｔ周期のウォブル２値化信号を、＋ＲＷ／＋Ｒ規格である３２Ｔ周期のウォブル２値化信号へ変換する周波数変換回路と、上記周波数変換回路の出力である変換３２Ｔ周期のウォブル２値化信号と、入力された３２Ｔ周期のウォブル２値化信号のいずれか一方の出力を切り替えて出力するセレクタと、上記セレクタの出力を受け、ウォブル２値化信号を３２逓倍するＰＬＬ回路と、を備えたことを特徴とするものである。
また、本発明（請求の範囲第３項）にかかる記録クロック生成装置は、請求の範囲第１項記載の記録クロック生成装置において、＋ＲＷ／＋Ｒ規格であるＡＤＩＰ２値化信号を、ＤＶＤ−Ｒ／ＲＷ規格であるランドプリピット２値化信号へ変換する回路と、上記ランドブリピット２値化信号から偶数シンクデータ，奇数シンクデータ，０データおよび１データを検出する回路と、を有する物理アドレスデータデコード装置を、備えたことを特徴とするものである。
また、本発明（請求の範囲第４項）にかかる記録クロック生成装置は、請求の範囲第２項記載の記録クロック生成装置において、ＤＶＤ−Ｒ／ＲＷ規格であるランドプリピット２値化信号を、＋ＲＷ／＋Ｒ規格であるＡＤＩＰ２値化信号へ変換する回路と、上記ＡＤＩＰ２値化信号からシンクデータ，０データおよび１データを検出する回路と、を有する物理アドレスデータデコード装置を、備えたことを特徴とするものである。
また、本発明（請求の範囲第５項）にかかる記録クロック生成装置は、請求の範囲第１項記載の記録クロック生成装置において、＋ＲＷ／＋Ｒ規格であるＡＤＩＰ２値化信号をＤＶＤ−Ｒ／ＲＷ規格であるランドプリピット２値化信号へ変換する回路と、ＤＶＤ−Ｒ／ＲＷ規格である１８６Ｔ周期のウォブル２値化信号と、ランドプリピット２値化信号との位相調整を行なう位相調整回路と、を備えたことを特徴とするものである。
また、本発明（請求の範囲第６項）にかかる記録クロック生成装置は、請求の範囲第２項記載の記録クロック生成装置において、ＤＶＤ−Ｒ／ＲＷ規格であるランドプリピット２値化信号を、＋ＲＷ／＋Ｒ規格であるＡＤＩＰ２値化信号へ変換する回路と、＋ＲＷ／＋Ｒ規格である３２Ｔ周期のウォブル２値化信号と、上記ＡＤＩＰ２値化信号との位相調整を行なう位相調整回路と、を備えたことを特徴とするものである。
また、本発明（請求の範囲第７項）にかかる記録クロック生成装置は、記録時の周波数の規格の異なるメディアに同一記録装置を用いて記録を行なう際の記緑クロックを生成する装置において、入力された第１の規格である第１の周期のウォブル２値化信号を、第２の規格である第２の周期のウオブル２値化信号へ変換する周波数変換回路と、上記周波数変換回路の出力である第２の周期のウォブル２値化信号と、入力された第２の周期のウォブル２値化信号のいずれか一方の出力を切り替えて出力するセレクタと、上記セレクタの出力を受け、ウォブル２値化信号を、ウォブル周期から、記録クロックの周期となるように逓倍するＰＬＬ回路と、を備えたことを特徴とするものである。
本発明（請求の範囲第１項）にかかるＤＶＤ−Ｒ／ＲＷおよび＋ＲＷ／＋Ｒ記録装置によれば、記録時の周波数の規格の異なるメディアに同一記録装置を用いて記録を行なう際の記録クロックを生成する装置において、入力された＋ＲＷ／十Ｒ規格である３２Ｔ周期のウォブル２値化信号を、ＤＶＤ−Ｒ／ＲＷ規格である１８６Ｔ周期のウォブル２値化信号へ変換する周波数変換回路と、上記周波数変換回路の出力である変換１８６Ｔ周期のウォブル２値化信号と、入力された１８６Ｔ周期のウォブル２値化信号のいずれか一方の出力を切り替えて出力するセレクタと、上記セレクタの出力を受け、ウォブル２値化信号を１８６逓倍するＰＬＬ回路と、を備えたものとしたので、＋ＲＷ／＋Ｒ記録時は変換した１８６Ｔ周期のウォブル２値化信号を、ＤＶＤ−Ｒ／ＲＷ記録時は１８６Ｔ周期のウォブル２値化信号を、後段の回路に入力することで、後段の回路を共有化することができ、回路面積の削減、及び製作コストの低減を図ることができる効果が得られる。
また、本発明（請求の範囲第２項）にかかる記録クロック生成装置によれば、記録時の周波数の規格の異なるメディアに同一記録装置を用いて記録を行なう際の記録クロックを生成する装置において、入力されたＤＶＤ−Ｒ／ＲＷ規格である１８６Ｔ周期のウォブル２値化信号を、＋ＲＷ／＋Ｒ規格である３２Ｔ周期のウォブル２値化信号へ変換する周波数変換回路と、上記周波数変換回路の出力である変換３２Ｔ周期のウォブル２値化信号と、入力された３２Ｔ周期のウォブル２値化信号のいずれか一方の出力を切り替えて出力するセレクタと、上記セレクタの出力を受け、ウォブル２値化信号を３２逓倍するＰＬＬ回路と、を備えたものとしたので、ＤＶＤ−Ｒ／ＲＷ記録時は変換した３２Ｔ周期のウォブル２値化信号を、＋ＲＷ／＋Ｒ記録時は３２Ｔ周期のウォブル２値化信号を、後段の回路に入力することで、後段の回路を共有化することができ、回路面積の削減、及び製作コストの低減を図ることができる効果が得られる。
また、本発明（請求の範囲第３項）にかかる記録クロック生成装置によれば、請求の範囲第１項記載の記録クロック生成装置において、＋ＲＷ／＋Ｒ規格であるＡＤＩＰ２値化信号を、ＤＶＤ−Ｒ／ＲＷ規格であるランドプリピット２値化信号へ変換する回路と、上記ランドプリピット２値化信号から偶数シンクデータ，奇数シンクデータ，０データおよび１データを検出する回路と、を有する物理アドレスデータデコード装置を、備えたものとしたので、＋ＲＷ／＋Ｒ記録時は変換したランドプリピット２値化信号を、ＤＶＤ−Ｒ／ＲＷ記録時はランドプリピット２値化信号をＬＰＰデコード回路より後段の回路に入力することで、ＬＰＰデコード回路より後段の回路を共有化することができ、また、ＡＤＩＰ２値化信号のデータをそのままランドプリピット２値化信号へ変換するため、変換回路は複雑にならず、回路面積の削減、及び製作コストの低減を図ることができる効果が得られる。
また、本発明（請求の範囲第４項）にかかる記録クロック生成装置によれば、請求の範囲第２項記載の記録クロック生成装置において、ＤＶＤ−Ｒ／ＲＷ規格であるランドプリピット２値化信号を、＋ＲＷ／＋Ｒ規格であるＡＤＩＰ２値化信号へ変換する回路と、上記ＡＤＩＰ２値化信号からシンクデータ，０データおよび１データを検出する回路と、を有する物理アドレスデータデコード装置を、備えたものとしたので、ＤＶＤ−Ｒ／ＲＷ記録時は変換したランドプリピット２値化信号を、＋ＲＷ／＋Ｒ記録時はランドプリピット２値化信号をＬＰＰデでコード回路より後段の回路に入力することで、ＡＤＩＰデコード回路よりも後段の回路を共有化することができ、また、ＬＰＰ２値化信号のデータをそのままＡＤＩＰ２値化信号へ変換するため、変換回路は複雑にならず、回路面積の削減、及び製作コストの低減を図ることができる効果が得られる。
また、本発明（請求の範囲第５項）にかかる記録クロック生成装置によれば、請求の範囲第１項記載の記録クロック生成装置において、＋ＲＷ／＋Ｒ規格であるＡＤＩＰ２値化信号をＤＶＤ−Ｒ／ＲＷ規格であるランドプリピット２値化信号へ変換する回路と、ＤＶＤ−Ｒ／ＲＷ規格である１８６Ｔ周期のウォブル２値化信号と、ランドプリピット２値化信号との位相調整を行なう位相調整回路と、を備え、ランドプリピット信号に対する、周期を変換したことによる記録データのタイミングずれを補正して位相補償を行なうことで、記録データとランドプリピット２値化信号の位置調整回路を共有化することができ、回路規模を小さくすることができる効果が得られる。
また、本発明（請求の範囲第６項）にかかる記録クロック生成装置によれば、請求の範囲第２項記載の記録クロック生成装置において、ＤＶＤ−Ｒ／ＲＷ規格であるランドプリピット２値化信号を、＋ＲＷ／＋Ｒ規格であるＡＤＩＰ２値化信号へ変換する回路と、＋ＲＷ／＋Ｒ規格である３２Ｔ周期のウォブル２値化信号と、ＡＤＩＰ２値化信号との位相調整を行なう位相調整回路と、を備え、ＡＤＩＰ信号に対する、周期を変換したことによる記録データのタイミングずれを補正して位相補償を行なうことで、記録データと上記ＡＤＩＰ２値化信号の位置調整回路を共有化することができ、回路規模を小さくすることができる効果が得られる。
また、本発明（請求の範囲第７項）にかかる記録クロック生成装置によれば、記録時の周波数の規格の異なるメディアに同一記録装置を用いて記録を行なう際の記録クロックを生成する装置において、入力された第１の規格である第１の周期のウォブル２値化信号を、第２の規格である第２の周期のウォブル２値化信号へ変換する周波数変換回路と、上記周波数変換回路の出力である第２の周期のウォブル２値化信号と、入力された第２の周期のウォブル２値化信号のいずれか一方の出力を切り替えて出力するセレクタと、上記セレクタの出力を受け、ウォブル２値化信号を、ウォブル周期から、記録クロックの周期となるように逓倍するＰＬＬ回路と、を備えたものとしたので、たとえば、ＤＶＤ＋ＲＷ／＋Ｒ記録時は変換した１８６Ｔ周期のウォブル２値化信号を、ＤＶＤ−Ｒ／ＲＷ記録時は１８６Ｔ周期のウォブル２値化信号を、後段の回路に入力することで、後段の回路を共有化することができ、回路面積の削減、及び製作コストの低減を図ることができる効果が得られる。
【図面の簡単な説明】  第１図は、本発明の実施の形態１にかかる記録クロック生成装置、を表すブロック図。
第２図は第１図に示す３２Ｔ周期ウォブル２値化信号から１８６Ｔ周期ウォブル２値化信号への変換回路の波形を示す図。
第３図は、第１図に示すＡＤＩＰ信号からランドプリピット信号への変換回路の波形を示す図。
第４図は、第１図に示す位相補正の波形を示す図。
第５図は、ＤＶＤ記録装置の記録データとランドプリピット信号の位置調整の波形を示す図。
第６図は、従来の記録クロック生成装置の構成を表すブロック図。
第７図は、上記実施の形態１にかかる記録クロック生成装置の変形例による構成を示すブロック図。
第８図は、３２Ｔ→１８６Ｔ変換回路１０６の詳細な構成を示すブロック図（第８（ａ）図）、第８（ａ）図に示した回路の各部位におけるクロック波形図（第８（ｂ）図）。
【発明を実施するための最良の形態】  （実施の形態１）
以下、本発明の実施の形態１にかかるＤＶＤ−Ｒ／ＲＷあるいは＋ＲＷ／＋Ｒ記録装置における記録クロック生成装置について、図面を参照しながら説明する。
第１図において、１０４は入力された２値化信号からノイズを除去するためのタイムドメインフィルタ、１０５はタイムドメインフィルタ１０４から出力された２値化信号の周期を平均化するウォブル周期平均化回路、１０６はウォブル周期平均化回路１０５の出力を１８６Ｔ周期のウォブル２値化信号に変換する３２Ｔ→１８６Ｔ変換回路、１０８はウォブル周期平均化回路１０５の出力と３２Ｔ→１８６Ｔ変換回路１０６の出力のいずれか一方を選択して出力するセレクタ、１１０はセレクタ１０８から出力されるウォブル２値化信号の位相を補正する位相補正回路である。
また、１１１は位相補正回路１１０の出力と後述する１／１８６分周期１１４の出力信号との位相を比較する位相比較器、１１２は、後段のアナログ回路である１８６逓倍ＶＣＯ（電圧制御発振器）１１３を制御するために、位相比較器１１１の出力をデジタル／アナログ変換するチャージポンプ、１１４は１８６逓倍された出力１Ｔ周期記録クロックＷＴＣＫＩＴ７を復元するための１／１８６分周期、１１５は基準クロックの分周、ＰＬＬロックアンロックの検出、周波数のずれの検出や位相反転の検出などの処理を行なう演算回路である。
さらに、１０２はＤＶＤ−Ｒ／ＲＷの記録時に用いられるランドプリピット２値化信号、１０３は＋ＲＷ／＋Ｒ記録時に用いられるＡＤＩＰ（ａｄｄｒｅｓｓ  ｉｎｐｒｅ−ｇｒｏｏｖｅ）２値化信号、１０７はＡＤＩＰ２値化信号１０３をランドプリピット２値化信号に変換するＡＤＩＰ→ＬＰＰ変換回路、１０９は、ＬＰＰ２値化信号１０２と、ＡＤＩＰ→ＬＰＰ変換回路１０７により変換された変換ＬＰＰ２値化信号のいずれか一方を選択して出力するセレクタ、１１６はセレクタ１０９から出力されたＬＰＰ２値化信号をデコードしてアドレスデータ１２０として出力するＬＰＰデコーダーである。このアドレスデータ１２０は、偶数シンクデータ，奇数シンクデータ，０データおよび１データが含まれる。
次に動作について説明する。ＰＬＬ回路としての基本的な動作は従来と同様であるため、ここでは本願の特徴的な動作を中心に説明を行なうものとする。ＤＶＤ−Ｒ／ＲＷ記録時は１８６Ｔ周期のウオブル２値化信号が入力ウォブル１０１で入力され、＋ＲＷ／＋Ｒ記録時は３２Ｔ周期のウォブル２値化信号が入力ウォブル１０１で入力される。ランドプリピットフォーマット規格のＤＶＤ−Ｒ／ＲＷ記録時は、セレクタ１０８によりウォブル周期平均化回路１０５の出力を選択し、ウォブル位置変調フォーマット規格の＋ＲＷ／＋Ｒ記録時は、上記セレクタ１０８により３２Ｔ周期のウォブル２値化信号を１８６Ｔ周期のウォブル２値化信号へ変換する回路１０６の出力を選択して出力することにより、後段のＰＬＬ回路（１１１〜１１６）を共有している。
この実施の形態ではＤＶＤ−Ｒ／ＲＷ用のＶＣＯ，分周期の１系統だけで、異なるフォーマットに対応することができる。ここで、上記３２Ｔ周期のウォブル２値化信号を１８６Ｔ周期のウォブル２値化信号へ変換する回路１０６では、第２図に示すように、３２Ｔ周期のウォブル２値化信号２０１から１８６Ｔ周期のウォブル２値化信号２０２への変換を行う。
第８（ａ）図は上記３２Ｔ→１８６Ｔ変換回路１０６の詳細な構成を示すブロック図である。また、第８（ｂ）図は上記第８（ａ）図に示した回路の各部位におけるクロック波形図である。
第８（ｂ）図の最上段に示すように、３６Ｔのクロックは、カウンタ１０６０、比較器１０６１を経て、２段目に示すように、３２Ｔから１８６Ｔへ変換する際の３２Ｔウォブルの個数（整数部分）のタイミング波形となって出力される。ここでは、３２Ｔの５．８１２５倍で１８６Ｔとなるため、３２Ｔの〔５．８１２５×ｎ〕個目から（〔５．８１２５×ｎ〕＋１）個目（〔〕は小数切捨値を示すガウス符号、ｎは正の整数）個目の周期の間に１８６Ｔの立ち上がりタイミングが発生することになる。
また、第８（ｂ）図の３段目は、３２Ｔウォブル信号が周期計測器１０６２、分数成分タイミング器１０６３を経た出力波形であり、最上段の３２Ｔウォブル信号の整数部分〔５．８１２５×ｎ〕個から（〔５．８１２５×ｎ〕＋１）個の間のときは３２Ｔウォブル信号の周期の（５．８１２５×ｎ−〔５．８１２５×ｎＤ倍の長さ分遅延したタイミングとなっている。
そして、第８（ｂ）図最下段は、比較器１０６１と分数成分タイミング器１０６３との論理和（ＡＮＤ回路１０６４）をとった後、波形生成器１０６５から出力される１８６Ｔ信号である。
また、第１図において、ＤＶＤ−Ｒ／ＲＷ記録時はランドプリピット２値化信号１０２が入力され、＋ＲＷ／＋Ｒ記録時はＡＤＩＰ２値化信号１０３が入力される。ＤＶＤ−Ｒ／ＲＷ記録時はセレクタ１０９により、ランドプリピット２値化信号１０２が選択され、＋ＲＷ／＋Ｒ記録時はセレクタ１０９によりＡＤＩＰ２値化信号をランドプリピット２値化信号へ変換した変換ランドプリピット２値化信号が選択されることにより、ランドプリピットデコーダー１１６より後段の回路を共有することが可能となる。ただし、アドレスデータ１２０の誤り訂正などの処理はＤＶＤ−Ｒ／ＲＷ記録時と＋ＲＷ／＋Ｒ記録時で異なる。ここで、上記ＡＤＩＰ２値化信号をランドプリピット２値化信号へ変換するＡＤＩＰ→ＬＰＰ回路１０７では、第３図におけるＡＤＩＰシンク信号３０２からランドプリピットシンク偶数位置信号３０３への変換、第３図におけるＡＤＩＰ０信号３０４からランドプリピット０信号３０５への変換、および、第３図におけるＡＤＩＰ１信号３０６からランドプリピット０信号３０７への変換が行なわれる。
また、ＤＶＤ−Ｒ／ＲＷあるいは＋ＲＷ／＋Ｒ記録時にそれぞれ上述したように、セレクタ１０８及び１０９により出力信号の切り替えを行なうことにより、位相補正回路１１０を共有することが可能となる。
上記タイムドメインフィルタ１０４，ウォブル周期平均化回路１０６を通過したウォブル２値化信号１０１はランドプリピット信号１０２に比べて伝播遅延が生じており、上記位相補正回路１１０では、第４図における１８６Ｔ周期のウォブル２値化信号４０１とランドプリピット２値化信号４０２の位相調整を行う。
また、位相調整は時間ｔ４０３と時間ｔ４０４が等しくなるように行う。
また、以上のような記録クロック生成装置をＤＶＤ記録装置に組み込んだ際の、位相補正回路１１０の出力波形について説明する。第５図において、ランドプリピット２値化信号５０２は、ＤＶＤ−Ｒ／ＲＷ記録時はランドプリピット２値化信号、＋ＲＷ／＋Ｒ記録時はＡＤＩＰ２値化信号をランドプリピット２値化信号へ変換した信号となる。ランドプリピット２値化信号５０２の位置調整は、ランドプリピット２値化信号５０２の位置により、記録データ５０１の位置を調整して行うことになる。
このように本実施の形態１にかかるＤＶＤ−Ｒ／ＲＷおよび＋ＲＷ／＋Ｒ記録装置の記録クロック生成装置によれば、＋ＲＷ／＋Ｒ規格である３２Ｔ周期のウォブル２値化信号をＤＶＤ−Ｒ／ＲＷ規格である１８６Ｔ周期のウォブル２値化信号へ変換する回路１０６を設け、３２Ｔ周期のウォブル２値化信号の場合には、１８６Ｔ周期のウォブル２値化信号へ変換してから後段の１８６逓倍ウォブルＰＬＬ回路に入力するようにしたので、ＰＬＬ回路における構成から、３２逓倍ウォブルＰＬＬ回路に相当する構成が必要なくなり、回路占有面積の大きなＶＣＯを削減することにより、ＤＶＤ−Ｒ／ＲＷの規格である１８６逓倍ウォブルＰＬＬ回路を共有することでＤＶＤ−Ｒ／ＲＷおよび＋ＲＷ／＋Ｒの２つの規格に対応したメディアを扱うことができる記録装置を提供することができる。
また、ＡＤＩＰ→ＬＰＰ変換回路１０７，セレクタ１０９を設け、セレクタ＋ＲＷ／＋Ｒ記録時は変換したランドプリピット２値化信号を、ＤＶＤ−Ｒ／ＲＷ記録時はランドプリピット２値化信号をＬＰＰデコード回路１１６より後段の回路に入力する構成とすることで、ＬＰＰデコード回路よりも後段の回路を共有化することができ、また、ＡＤＩＰ２値化信号のデータをそのままランドプリピット２値化信号へ変換するため、変換回路は複雑にならず、回路面積の削減、及び製作コストの低減を図ることができる効果が得られる。
さらに、ＡＤＩＰ→ＬＰＰ変換回路１０７の出力を位相補正回路１１０に入力する構成とすることで、記録データとランドプリピット２値化信号の位置調整回路を共有化することができ、回路規模を小さくすることができる効果が得られる。
なお、上記実施の形態では、＋ＲＷ／＋Ｒ規格である３２Ｔ周期のウォブル２値化信号をＤＶＤ−Ｒ／ＲＷ規格である１８６Ｔ周期のウォブル２値化信号へ変換することで、ＤＶＤ−Ｒ／ＲＷ規格用のＰＬＬ回路を共有し、＋ＲＷ／＋Ｒ規格用の３２逓倍ウォブルＰＬＬ回路を不要とする構成について説明したが、第７図に示すように、ＤＶＤ−Ｒ／ＲＷ規格である１８６Ｔ周期のウォブル２値化信号を、ＤＶＤ＋Ｒ／＋ＲＷ規格である３２Ｔ周期のウォブル２値化信号へ変換する１８６Ｔ→３２Ｔ変換回路７０１を設け、後段のＰＬＬ回路として、１／３２分周回路７０２，ＶＣＯ（３２逓倍）７０３を設け、さらに、ＡＤＩＰ→ＬＰＰ変換回路１０７に代えて、ＬＰＰ→ＡＤＩＰ変換回路７０４を設け、ＬＰＰデコーダー１１６に代えてＡＤＩＰデコーダー７０５を設ける構成とすることで、ＤＶＤ＋Ｒ／＋ＲＷ規格用のＰＬＬ回路を共有し、ＤＶＤ−Ｒ／−ＲＷ規格用の１８６逓倍ウォブルＰＬＬ回路を不要とする構成としても同様の効果が得られる。
この場合には、位相補正回路１１０は、ＡＤＩＰ信号に対する、周期を変換したことによる記録データのタイミングずれを補正して位相補償を行なうことになる。また、ＡＤＩＰデコーダー７０５より出力されるアドレスデータ１２０としては、シンクデータ，０データおよび１データが含まれることになる。
【産業上の利用可能性】  本発明にかかる記録クロック生成装置は、ＤＶＤ−Ｒ／ＲＷおよび＋ＲＷ／＋Ｒ記録装置を有する、ＰＣ用途のＤＶＤ−Ｒ／ＲＷおよび＋ＲＷ／＋Ｒ記録ドライブ用システムＬＳＩ等用に有用である。また民生用途のＤＶＤ−Ｒ／ＲＷおよび＋ＲＷ／＋Ｒレコーダー用システムＬＳＩ等の用途にも応用できる。
【図１】
2005031742.tif 000003
【図２】
2005031742.tif 000004
【図３】
2005031742.tif 000005
【図４】
2005031742.tif 000006
【図５】
2005031742.tif 000007
【図６】
2005031742.tif 000008
【図７】
2005031742.tif 000009
2005031742.tif 000010
【手続補正書】
【提出日】平成17年5月20日(2005.5.20)
【手続補正１】
【補正対象書類名】特許請求の範囲
【補正対象項目名】全文
【補正方法】変更
【補正の内容】
【特許請求の範囲】
【請求項１】
記録時の周波数の規格の異なるメディアに同一記録装置を用いて記録を行なう際の記録クロックを生成する装置において、
入力された＋ＲＷ／＋Ｒ規格である３２Ｔ周期のウォブル２値化信号を、ＤＶＤ−Ｒ／ＲＷ規格である１８６Ｔ周期のウォブル２値化信号へ変換する周波数変換回路と、
上記周波数変換回路の出力である変換１８６Ｔ周期のウォブル２値化信号と、入力された１８６Ｔ周期のウォブル２値化信号のいずれか一方の出力を切り替えて出力するセレクタと、
上記セレクタの出力を受け、ウォブル２値化信号を１８６逓倍するＰＬＬ回路と、
を備えたことを特徴とする記録クロック生成装置。
【請求項２】
記録時の周波数の規格の異なるメディアに同一記録装置を用いて記録を行なう際の記録クロックを生成する装置において、
入力されたＤＶＤ−Ｒ／ＲＷ規格である１８６Ｔ周期のウォブル２値化信号を、＋ＲＷ／＋Ｒ規格である３２Ｔ周期のウォブル２値化信号へ変換する周波数変換回路と、
上記周波数変換回路の出力である変換３２Ｔ周期のウォブル２値化信号と、入力された３２Ｔ周期のウォブル２値化信号のいずれか一方の出力を切り替えて出力するセレクタと、
上記セレクタの出力を受け、ウォブル２値化信号を３２逓倍するＰＬＬ回路と、
を備えたことを特徴とする記録クロック生成装置。
【請求項３】
請求の範囲第１記載の記録クロック生成装置において、
＋ＲＷ／＋Ｒ規格であるＡＤＩＰ２値化信号を、ＤＶＤ−Ｒ／ＲＷ規格であるランドプリピット２値化信号へ変換する回路と、上記ランドプリピット２値化信号から偶数シンクデータ，奇数シンクデータ，０データおよび１データを検出する回路と、を有する物理アドレスデータデコード装置を、備えたことを特徴とする記録クロック生成装置。
【請求項４】
請求の範囲第２記載の記録クロック生成装置において、
ＤＶＤ−Ｒ／ＲＷ規格であるランドプリピット２値化信号を、＋ＲＷ／＋Ｒ規格であるＡＤＩＰ２値化信号へ変換する回路と、上記ＡＤＩＰ２値化信号からシンクデータ，０データおよび１データを検出する回路と、を有する物理アドレスデータデコード装置を、備えたことを特徴とする記録クロック生成装置。
【請求項５】
請求の範囲第１記載の記録クロック生成装置において、
＋ＲＷ／＋Ｒ規格であるＡＤＩＰ２値化信号をＤＶＤ−Ｒ／ＲＷ規格であるランドプリピット２値化信号へ変換する回路と、
ＤＶＤ−Ｒ／ＲＷ規格である１８６Ｔ周期のウォブル２値化信号と、ランドプリピット２値化信号との位相調整を行なう位相調整回路と、
を備えたことを特徴とする記録クロック生成装置。
【請求項６】
請求の範囲第２記載の記録クロック生成装置において、
ＤＶＤ−Ｒ／ＲＷ規格であるランドプリピット２値化信号を、＋ＲＷ／＋Ｒ規格であるＡＤＩＰ２値化信号へ変換する回路と、
＋ＲＷ／＋Ｒ規格である３２Ｔ周期のウォブル２値化信号と、上記ＡＤＩＰ２値化信号との位相調整を行なう位相調整回路と、
を備えたことを特徴とする記録クロック生成装置。
【請求項７】
記録時の周波数の規格の異なるメディアに同一記録装置を用いて記録を行なう際の記録クロックを生成する装置において、
入力された第１の規格である第１の周期のウォブル２値化信号を、第２の規格である第２の周期のウォブル２値化信号へ変換する周波数変換回路と、
上記周波数変換回路の出力である第２の周期のウォブル２値化信号と、入力された第２の周期のウォブル２値化信号のいずれか一方の出力を切り替えて出力するセレクタと、
上記セレクタの出力を受け、ウォブル２値化信号を、ウォブル周期から、記録クロックの周期となるように逓倍するＰＬＬ回路と、
を備えたことを特徴とする記録クロック生成装置。
【手続補正２】
【補正対象書類名】明細書
【補正対象項目名】全文
【補正方法】変更
【補正の内容】
【発明の詳細な説明】
【技術分野】
【０００１】
本発明は、記録クロック生成装置に関し、特にＤＶＤ−Ｒ／ＲＷおよび＋ＲＷ／＋Ｒ双方の記録に対応した装置の、ウォブルＰＬＬ回路および物理アドレスデータデコード回路の共有化に関するものである。
【背景技術】
【０００２】
従来のＤＶＤ−Ｒ／ＲＷおよび＋ＲＷ／＋Ｒ記録装置は、例えば、図６のように構成される。この装置は、１８６逓倍ウォブルＰＬＬ回路と３２逓倍ウォブルＰＬＬ回路の両方を備えている。これらの方式の記録媒体には光ディスク上の記録位置（トラック）を特定するための目的で、未記録状態であってもアドレス情報、付加情報、同期信号が記録されているのが通常である。上記アドレス情報、付加情報の変調方式として、ＤＶＤ−Ｒ／ＲＷにはランドプリピット（以下、ＬＰＰともいう）フォーマットが採用され、＋ＲＷ／＋Ｒには、ウォブル位置変調（以下、ＡＤＩＰとも言う）フォーマットが採用されている。
【０００３】
図において、６０１はウォブル信号であり、ノイズ除去のためのタイムドメインフィルタ６０２に入力される。タイムドメインフィルタ６０２でノイズが除去された信号は後段のウォブル周期平均化回路６０３に入力され、ここで、周期のバラツキが平均化されて出力される。
【０００４】
位相補正回路６１４は、ＡＤＩＰ信号に対する、周期を変換したことによる記録データのタイミングずれを補正して位相補償を行うものであり、セレクタ６１５により、ＬＰＰ信号かタイミング変換回路６１６を介して出力されたＡＤＩＰ信号かのいずれか一方の信号が入力される構成となっている。
【０００５】
位相比較器６０４はウォブル周期平均化回路６０３の出力とセレクタ６１２の出力との位相を比較する。６０５は、後段のアナログ回路であるＶＣＯ（電圧制御発振器）を制御するために、位相比較器６０４の出力をデジタル／アナログ変換するチャージポンプ、６０６はチャージポンプ６０５の出力を後段のＶＣＯ（電圧制御発振器）６０７に出力するか、ＶＣＯ６０８に出力するのか、のいずれかを切り替えるセレクタである。
【０００６】
６０９はＶＯＣ６０７，ＶＯＣ６０８のいずれか一方の出力を選択して後述する演算回路６１３に出力するセレクタ、６１０は１／１８６分周器、６１１は１／３２分周器、６１２は１／１８６分周器６１０，１／３２分周器６１１のいずれかの出力を選択して出力するセレクタである。また、６１３は基準クロックの分周、ＰＬＬロックアンロックの検出、周波数のずれの検出や位相反転の検出などの処理を行なう演算回路である。
【０００７】
また、６１７はＬＰＰ２値化信号をデコードしてアドレスデータを出力するＬＰＰデコーダー、６１８はＡＤＩＰ２値化信号をデコードしてアドレスデータを出力するＡＤＩＰデコーダーである。また、６９１は上記ＬＰＰデコーダー６１７またはＡＤＩＰデコーダー６１８のいずれか一方の出力を選択してアドレスデータとして出力するセレクタである。
【０００８】
この構成では、入力信号がＤＶＤ−Ｒ／ＲＷ規格のランドプリピット信号である場合には、セレクタ６０６により入力信号がＶＣＯ（６０７）に入力されるように切り替え、１／１８６分周器６１０の出力がセレクタ６１２により選択されて位相比較器６０４に出力されるとともに、演算回路６１３によって基準クロックとのズレが計算され、ＰＬＬ回路がロック状態であることを示す信号ＷＰＬＬＯＫ６１５と、記録クロック周波数ＯＫ信号ＷＲＥＦＯＫ６１６とが出力される。
【０００９】
以上のように、＋ＲＷ／＋Ｒ規格のウォブル２値化信号から検出したアドレス情報を、ＤＶＤ−Ｒ／ＲＷ規格のランドプリピット信号に変換する手段を設けることで、上述した複数の光ディスクに対して、記録・再生を行うマルチ光ディスク対応記録装置もある（例えば、特許文献１および特許文献２参照）。この装置は、ウォブル２値化信号からアドレス情報を検出し、ウォブル２値化信号の周期も考慮にいれたアドレス情報をＤＶＤ−Ｒ／ＲＷ規格のランドプリピット信号に変換することにより、２つの同期信号間での周期保護を行い、ディスク上への誤った位置への記録による記録済データの破壊を防止することを目的としている。
【００１０】
従来のＤＶＤ−Ｒ／ＲＷおよび＋ＲＷ／＋Ｒ記録装置の記録クロック生成装置は以上のように構成されており、ＤＶＤ−Ｒ／ＲＷ規格および＋ＲＷ／＋Ｒ規格それぞれのフォーマットに対応したそれぞれのＰＬＬ回路を内蔵するため、装置の回路規模が大きくなってしまうためコスト面で不利となる問題点があった。
【００１１】
また、同期保護を目的とした、＋ＲＷ／＋Ｒ規格のウォブル２値化信号からＤＶＤ−Ｒ／ＲＷ規格のランドプリピット信号に変換する手段は、変換回路の構成が複雑となるという問題点があった。
【００１２】
この発明は以上のような問題点を解消するためになされたもので、ＤＶＤ−Ｒ／ＲＷ規格および＋ＲＷ／＋Ｒ規格の各フォーマットに対応し、回路規模が大きくならないＤＶＤ−Ｒ／ＲＷおよび＋ＲＷ／＋Ｒ記録装置の記録クロック生成装置を提供することを目的とする。
【特許文献１】特開２００３−１０００１５号公報
【特許文献２】特開２００３−１２３２５７号公報
【発明の開示】
【００１３】
本発明（請求項１）にかかる記録クロック生成装置は、記録時の周波数の規格の異なるメディアに同一記録装置を用いて記録を行なう際の記録クロックを生成する装置において、入力された＋ＲＷ／＋Ｒ規格である３２Ｔ周期のウォブル２値化信号を、ＤＶＤ−Ｒ／ＲＷ規格である１８６Ｔ周期のウォブル２値化信号へ変換する周波数変換回路と、上記周波数変換回路の出力である変換１８６Ｔ周期のウォブル２値化信号と、入力された１８６Ｔ周期のウォブル２値化信号のいずれか一方の出力を切り替えて出力するセレクタと、上記セレクタの出力を受け、ウォブル２値化信号を１８６逓倍するＰＬＬ回路と、を備えたことを特徴とするものである。
【００１４】
また、本発明（請求項２）にかかる記録クロック生成装置は、記録時の周波数の規格の異なるメディアに同一記録装置を用いて記録を行なう際の記録クロックを生成する装置において、入力されたＤＶＤ−Ｒ／ＲＷ規格である１８６Ｔ周期のウォブル２値化信号を、＋ＲＷ／＋Ｒ規格である３２Ｔ周期のウォブル２値化信号へ変換する周波数変換回路と、上記周波数変換回路の出力である変換３２Ｔ周期のウォブル２値化信号と、入力された３２Ｔ周期のウォブル２値化信号のいずれか一方の出力を切り替えて出力するセレクタと、上記セレクタの出力を受け、ウォブル２値化信号を３２逓倍するＰＬＬ回路と、を備えたことを特徴とするものである。
【００１５】
また、本発明（請求項３）にかかる記録クロック生成装置は、請求項１記載の記録クロック生成装置において、＋ＲＷ／＋Ｒ規格であるＡＤＩＰ２値化信号を、ＤＶＤ−Ｒ／ＲＷ規格であるランドプリピット２値化信号へ変換する回路と、上記ランドプリピット２値化信号から偶数シンクデータ，奇数シンクデータ，０データおよび１データを検出する回路と、を有する物理アドレスデータデコード装置を、備えたことを特徴とするものである。
【００１６】
また、本発明（請求項４）にかかる記録クロック生成装置は、請求項２記載の記録クロック生成装置において、ＤＶＤ−Ｒ／ＲＷ規格であるランドプリピット２値化信号を、＋ＲＷ／＋Ｒ規格であるＡＤＩＰ２値化信号へ変換する回路と、上記ＡＤＩＰ２値化信号からシンクデータ，０データおよび１データを検出する回路と、を有する物理アドレスデータデコード装置を、備えたことを特徴とするものである。
【００１７】
また、本発明（請求項５）にかかる記録クロック生成装置は、請求項１記載の記録クロック生成装置において、＋ＲＷ／＋Ｒ規格であるＡＤＩＰ２値化信号をＤＶＤ−Ｒ／ＲＷ規格であるランドプリピット２値化信号へ変換する回路と、ＤＶＤ−Ｒ／ＲＷ規格である１８６Ｔ周期のウォブル２値化信号と、ランドプリピット２値化信号との位相調整を行なう位相調整回路と、を備えたことを特徴とするものである。
【００１８】
また、本発明（請求項６）にかかる記録クロック生成装置は、請求項２記載の記録クロック生成装置において、ＤＶＤ−Ｒ／ＲＷ規格であるランドプリピット２値化信号を、＋ＲＷ／＋Ｒ規格であるＡＤＩＰ２値化信号へ変換する回路と、＋ＲＷ／＋Ｒ規格である３２Ｔ周期のウォブル２値化信号と、上記ＡＤＩＰ２値化信号との位相調整を行なう位相調整回路と、を備えたことを特徴とするものである。
【００１９】
また、本発明（請求項７）にかかる記録クロック生成装置は、記録時の周波数の規格の異なるメディアに同一記録装置を用いて記録を行なう際の記録クロックを生成する装置において、入力された第１の規格である第１の周期のウォブル２値化信号を、第２の規格である第２の周期のウォブル２値化信号へ変換する周波数変換回路と、上記周波数変換回路の出力である第２の周期のウォブル２値化信号と、入力された第２の周期のウォブル２値化信号のいずれか一方の出力を切り替えて出力するセレクタと、上記セレクタの出力を受け、ウォブル２値化信号を、ウォブル周期から、記録クロックの周期となるように逓倍するＰＬＬ回路と、を備えたことを特徴とするものである。
【００２０】
本発明（請求項１）にかかるＤＶＤ−Ｒ／ＲＷおよび＋ＲＷ／＋Ｒ記録装置によれば、記録時の周波数の規格の異なるメディアに同一記録装置を用いて記録を行なう際の記録クロックを生成する装置において、入力された＋ＲＷ／＋Ｒ規格である３２Ｔ周期のウォブル２値化信号を、ＤＶＤ−Ｒ／ＲＷ規格である１８６Ｔ周期のウォブル２値化信号へ変換する周波数変換回路と、上記周波数変換回路の出力である変換１８６Ｔ周期のウォブル２値化信号と、入力された１８６Ｔ周期のウォブル２値化信号のいずれか一方の出力を切り替えて出力するセレクタと、上記セレクタの出力を受け、ウォブル２値化信号を１８６逓倍するＰＬＬ回路と、を備えたものとしたので、＋ＲＷ／＋Ｒ記録時は変換した１８６Ｔ周期のウォブル２値化信号を、ＤＶＤ−Ｒ／ＲＷ記録時は１８６Ｔ周期のウォブル２値化信号を、後段の回路に入力することで、後段の回路を共有化することができ、回路面積の削減、及び製作コストの低減を図ることができる効果が得られる。
【００２１】
また、本発明（請求項２）にかかる記録クロック生成装置によれば、記録時の周波数の規格の異なるメディアに同一記録装置を用いて記録を行なう際の記録クロックを生成する装置において、入力されたＤＶＤ−Ｒ／ＲＷ規格である１８６Ｔ周期のウォブル２値化信号を、＋ＲＷ／＋Ｒ規格である３２Ｔ周期のウォブル２値化信号へ変換する周波数変換回路と、上記周波数変換回路の出力である変換３２Ｔ周期のウォブル２値化信号と、入力された３２Ｔ周期のウォブル２値化信号のいずれか一方の出力を切り替えて出力するセレクタと、上記セレクタの出力を受け、ウォブル２値化信号を３２逓倍するＰＬＬ回路と、を備えたものとしたので、ＤＶＤ−Ｒ／ＲＷ記録時は変換した３２Ｔ周期のウォブル２値化信号を、＋ＲＷ／＋Ｒ記録時は３２Ｔ周期のウォブル２値化信号を、後段の回路に入力することで、後段の回路を共有化することができ、回路面積の削減、及び製作コストの低減を図ることができる効果が得られる。
【００２２】
また、本発明（請求項３）にかかる記録クロック生成装置によれば、請求項１記載の記録クロック生成装置において、＋ＲＷ／＋Ｒ規格であるＡＤＩＰ２値化信号を、ＤＶＤ−Ｒ／ＲＷ規格であるランドプリピット２値化信号へ変換する回路と、上記ランドプリピット２値化信号から偶数シンクデータ，奇数シンクデータ，０データおよび１データを検出する回路と、を有する物理アドレスデータデコード装置を、備えたものとしたので、＋ＲＷ／＋Ｒ記録時は変換したランドプリピット２値化信号を、ＤＶＤ−Ｒ／ＲＷ記録時はランドプリピット２値化信号をＬＰＰデコード回路より後段の回路に入力することで、ＬＰＰデコード回路より後段の回路を共有化することができ、また、ＡＤＩＰ２値化信号のデータをそのままランドプリピット２値化信号へ変換するため、変換回路は複雑にならず、回路面積の削減、及び製作コストの低減を図ることができる効果が得られる。
【００２３】
また、本発明（請求項４）にかかる記録クロック生成装置によれば、請求項２記載の記録クロック生成装置において、ＤＶＤ−Ｒ／ＲＷ規格であるランドプリピット２値化信号を、＋ＲＷ／＋Ｒ規格であるＡＤＩＰ２値化信号へ変換する回路と、上記ＡＤＩＰ２値化信号からシンクデータ，０データおよび１データを検出する回路と、を有する物理アドレスデータデコード装置を、備えたものとしたので、ＤＶＤ−Ｒ／ＲＷ記録時は変換したランドプリピット２値化信号を、＋ＲＷ／＋Ｒ記録時はランドプリピット２値化信号をＬＰＰデでコード回路より後段の回路に入力することで、ＡＤＩＰデコード回路よりも後段の回路を共有化することができ、また、ＬＰＰ２値化信号のデータをそのままＡＤＩＰ２値化信号へ変換するため、変換回路は複雑にならず、回路面積の削減、及び製作コストの低減を図ることができる効果が得られる。
【００２４】
また、本発明（請求項５）にかかる記録クロック生成装置によれば、請求項１記載の記録クロック生成装置において、＋ＲＷ／＋Ｒ規格であるＡＤＩＰ２値化信号をＤＶＤ−Ｒ／ＲＷ規格であるランドプリピット２値化信号へ変換する回路と、ＤＶＤ−Ｒ／ＲＷ規格である１８６Ｔ周期のウォブル２値化信号と、ランドプリピット２値化信号との位相調整を行なう位相調整回路と、を備え、ランドプリピット信号に対する、周期を変換したことによる記録データのタイミングずれを補正して位相補償を行なうことで、記録データとランドプリピット２値化信号の位置調整回路を共有化することができ、回路規模を小さくすることができる効果が得られる。
【００２５】
また、本発明（請求項６）にかかる記録クロック生成装置によれば、請求項２記載の記録クロック生成装置において、ＤＶＤ−Ｒ／ＲＷ規格であるランドプリピット２値化信号を、＋ＲＷ／＋Ｒ規格であるＡＤＩＰ２値化信号へ変換する回路と、＋ＲＷ／＋Ｒ規格である３２Ｔ周期のウォブル２値化信号と、ＡＤＩＰ２値化信号との位相調整を行なう位相調整回路と、を備え、ＡＤＩＰ信号に対する、周期を変換したことによる記録データのタイミングずれを補正して位相補償を行なうことで、記録データと上記ＡＤＩＰ２値化信号の位置調整回路を共有化することができ、回路規模を小さくすることができる効果が得られる。
【００２６】
また、本発明（請求項７）にかかる記録クロック生成装置によれば、記録時の周波数の規格の異なるメディアに同一記録装置を用いて記録を行なう際の記録クロックを生成する装置において、入力された第１の規格である第１の周期のウォブル２値化信号を、第２の規格である第２の周期のウォブル２値化信号へ変換する周波数変換回路と、上記周波数変換回路の出力である第２の周期のウォブル２値化信号と、入力された第２の周期のウォブル２値化信号のいずれか一方の出力を切り替えて出力するセレクタと、上記セレクタの出力を受け、ウォブル２値化信号を、ウォブル周期から、記録クロックの周期となるように逓倍するＰＬＬ回路と、を備えたものとしたので、たとえば、ＤＶＤ＋ＲＷ／＋Ｒ記録時は変換した１８６Ｔ周期のウォブル２値化信号を、ＤＶＤ−Ｒ／ＲＷ記録時は１８６Ｔ周期のウォブル２値化信号を、後段の回路に入力することで、後段の回路を共有化することができ、回路面積の削減、及び製作コストの低減を図ることができる効果が得られる。
【発明を実施するための最良の形態】
【００２７】
（実施の形態１）
以下、本発明の実施の形態１にかかるＤＶＤ−Ｒ／ＲＷあるいは＋ＲＷ／＋Ｒ記録装置における記録クロック生成装置について、図面を参照しながら説明する。
図１において、１０４は入力された２値化信号からノイズを除去するためのタイムドメインフィルタ、１０５はタイムドメインフィルタ１０４から出力された２値化信号の周期を平均化するウォブル周期平均化回路、１０６はウォブル周期平均化回路１０５の出力を１８６Ｔ周期のウォブル２値化信号に変換する３２Ｔ→１８６Ｔ変換回路、１０８はウォブル周期平均化回路１０５の出力と３２Ｔ→１８６Ｔ変換回路１０６の出力のいずれか一方を選択して出力するセレクタ、１１０はセレクタ１０８から出力されるウォブル２値化信号の位相を補正する位相補正回路である。
【００２８】
また、１１１は位相補正回路１１０の出力と後述する１／１８６分周器１１４の出力信号との位相を比較する位相比較器、１１２は、後段のアナログ回路である１８６逓倍ＶＣＯ（電圧制御発振器）１１３を制御するために、位相比較器１１１の出力をデジタル／アナログ変換するチャージポンプ、１１４は１８６逓倍された出力１Ｔ周期記録クロックＷＴＣＫ１１７を復元するための１／１８６分周器、１１５は基準クロックの分周、ＰＬＬロックアンロックの検出、周波数のずれの検出や位相反転の検出などの処理を行なう演算回路である。
【００２９】
さらに、１０２はＤＶＤ−Ｒ／ＲＷの記録時に用いられるランドプリピット２値化信号、１０３は＋ＲＷ／＋Ｒ記録時に用いられるＡＤＩＰ（ａｄｄｒｅｓｓ  ｉｎ  ｐｒｅ−ｇｒｏｏｖｅ）２値化信号、１０７はＡＤＩＰ２値化信号１０３をランドプリピット２値化信号に変換するＡＤＩＰ→ＬＰＰ変換回路、１０９は、ＬＰＰ２値化信号１０２と、ＡＤＩＰ→ＬＰＰ変換回路１０７により変換された変換ＬＰＰ２値化信号のいずれか一方を選択して出力するセレクタ、１１６はセレクタ１０９から出力されたＬＰＰ２値化信号をデコードしてアドレスデータ１２０として出力するＬＰＰデコーダーである。このアドレスデータ１２０は、偶数シンクデータ，奇数シンクデータ，０データおよび１データが含まれる。
【００３０】
次に動作について説明する。ＰＬＬ回路としての基本的な動作は従来と同様であるため、ここでは本願の特徴的な動作を中心に説明を行なうものとする。ＤＶＤ−Ｒ／ＲＷ記録時は１８６Ｔ周期のウォブル２値化信号が入力ウォブル１０１で入力され、＋ＲＷ／＋Ｒ記録時は３２Ｔ周期のウォブル２値化信号が入力ウォブル１０１で入力される。ランドプリピットフォーマット規格のＤＶＤ−Ｒ／ＲＷ記録時は、セレクタ１０８によりウォブル周期平均化回路１０５の出力を選択し、ウォブル位置変調フォーマット規格の＋ＲＷ／＋Ｒ記録時は、上記セレクタ１０８により３２Ｔ周期のウォブル２値化信号を１８６Ｔ周期のウォブル２値化信号へ変換する回路１０６の出力を選択して出力することにより、後段のＰＬＬ回路（１１１〜１１６）を共有している。
【００３１】
この実施の形態ではＤＶＤ−Ｒ／ＲＷ用のＶＣＯ分周期の１系統だけで、異なるフォーマットに対応することができる。ここで、上記３２Ｔ周期のウォブル２値化信号を１８６Ｔ周期のウォブル２値化信号へ変換する回路１０６では、図２に示すように、３２Ｔ周期のウォブル２値化信号２０１から１８６Ｔ周期のウォブル２値化信号２０２への変換を行う。
【００３２】
図８（ａ）は上記３２Ｔ→１８６Ｔ変換回路１０６の詳細な構成を示すブロック図である。また、図８（ｂ）は上記図８（ａ）に示した回路の各部位におけるクロック波形図である。
図８（ｂ）の最上段に示すように、３６Ｔのクロックは、カウンタ１０６０、比較器１０６１を経て、２段目に示すように、３２Ｔから１８６Ｔへ変換する際の３２Ｔウォブルの個数（整数部分）のタイミング波形となって出力される。ここでは、３２Ｔの５．８１２５倍で１８６Ｔとなるため、３２Ｔの〔５．８１２５×ｎ〕個目から（（５．８１２５×ｎ〕＋１）個目（〔〕は小数切捨値を示すガウス符号、ｎは正の整数）個目の周期の間に１８６Ｔの立ち上がりタイミングが発生することになる。
【００３３】
また、図８（ｂ）の３段目は、３２Ｔウォブル信号が周期計測器１０６２、分数成分タイミング器１０６３を経た出力波形であり、最上段の３２Ｔウォブル信号の整数部分〔５．８１２５×ｎ〕個から（〔５．８１２５×ｎ〕＋１）個の間のときは３２Ｔウォブル信号の周期の（５．８１２５×ｎ−〔５．８１２５×ｎ〕）倍の長さ分遅延したタイミングとなっている。
そして、図８（ｂ）最下段は、比較器１０６１と分数成分タイミング器１０６３との論理和（ＡＮＤ回路１０６４）をとった後、波形生成器１０６５から出力される１８６Ｔ信号である。
【００３４】
また、図１において、ＤＶＤ−Ｒ／ＲＷ記録時はランドプリピット２値化信号１０２が入力され、＋ＲＷ／＋Ｒ記録時はＡＤＩＰ２値化信号１０３が入力される。ＤＶＤ−Ｒ／ＲＷ記録時はセレクタ１０９により、ランドプリピット２値化信号１０２が選択され、＋ＲＷ／＋Ｒ記録時はセレクタ１０９によりＡＤＩＰ２値化信号をランドプリピット２値化信号へ変換した変換ランドプリピット２値化信号が選択されることにより、ランドプリピットデコーダー１１６より後段の回路を共有することが可能となる。ただし、アドレスデータ１２０の誤り訂正などの処理はＤＶＤ−Ｒ／ＲＷ記録時と＋ＲＷ／＋Ｒ記録時で異なる。ここで、上記ＡＤＩＰ２値化信号をランドプリピット２値化信号へ変換するＡＤＩＰ→ＬＰＰ回路１０７では、図３におけるＡＤＩＰシンク信号３０２からランドプリピットシンク偶数位置信号３０３への変換、図３におけるＡＤＩＰ０信号３０４からランドプリピット０信号３０５への変換、および、図３におけるＡＤＩＰ１信号３０６からランドプリピット０信号３０７への変換が行なわれる。
【００３５】
また、ＤＶＤ−Ｒ／ＲＷあるいは＋ＲＷ／＋Ｒ記録時にそれぞれ上述したように、セレクタ１０８及び１０９により出力信号の切り替えを行なうことにより、位相補正回路１１０を共有することが可能となる。
【００３６】
上記タイムドメインフィルタ１０４，ウォブル周期平均化回路１０６を通過したウォブル２値化信号１０１はランドプリピット信号１０２に比べて伝播遅延が生じており、上記位相補正回路１１０では、図４における１８６Ｔ周期のウォブル２値化信号４０１とランドプリピット２値化信号４０２の位相調整を行う。また、位相調整は時間ｔ４０３と時間ｔ４０４が等しくなるように行う。
【００３７】
また、以上のような記録クロック生成装置をＤＶＤ記録装置に組み込んだ際の、位相補正回路１１０の出力波形について説明する。図５において、ランドプリピット２値化信号５０２は、ＤＶＤ−Ｒ／ＲＷ記録時はランドプリピット２値化信号、＋ＲＷ／＋Ｒ記録時はＡＤＩＰ２値化信号をランドプリピット２値化信号へ変換した信号となる。ランドプリピット２値化信号５０２の位置調整は、ランドプリピット２値化信号５０２の位置により、記録データ５０１の位置を調整して行うことになる。
【００３８】
このように本実施の形態１にかかるＤＶＤ−Ｒ／ＲＷおよび＋ＲＷ／＋Ｒ記録装置の記録クロック生成装置によれば、＋ＲＷ／＋Ｒ規格である３２Ｔ周期のウォブル２値化信号をＤＶＤ−Ｒ／ＲＷ規格である１８６Ｔ周期のウォブル２値化信号へ変換する回路１０６を設け、３２Ｔ周期のウォブル２値化信号の場合には、１８６Ｔ周期のウォブル２値化信号へ変換してから後段の１８６逓倍ウォブルＰＬＬ回路に入力するようにしたので、ＰＬＬ回路における構成から、３２逓倍ウォブルＰＬＬ回路に相当する構成が必要なくなり、回路占有面積の大きなＶＣＯを削減することにより、ＤＶＤ−Ｒ／ＲＷの規格である１８６逓倍ウォブルＰＬＬ回路を共有することでＤＶＤ−Ｒ／ＲＷおよび＋ＲＷ／＋Ｒの２つの規格に対応したメディアを扱うことができる記録装置を提供することができる。
【００３９】
また、ＡＤＩＰ→ＬＰＰ変換回路１０７，セレクタ１０９を設け、セレクタ＋ＲＷ／＋Ｒ記録時は変換したランドプリピット２値化信号を、ＤＶＤ−Ｒ／ＲＷ記録時はランドプリピット２値化信号をＬＰＰデコード回路１１６より後段の回路に入力する構成とすることで、ＬＰＰデコード回路よりも後段の回路を共有化することができ、また、ＡＤＩＰ２値化信号のデータをそのままランドプリピット２値化信号へ変換するため、変換回路は複雑にならず、回路面積の削減、及び製作コストの低減を図ることができる効果が得られる。
【００４０】
さらに、ＡＤＩＰ→ＬＰＰ変換回路１０７の出力を位相補正回路１１０に入力する構成とすることで、記録データとランドプリピット２値化信号の位置調整回路を共有化することができ、回路規模を小さくすることができる効果が得られる。
【００４１】
なお、上記実施の形態では、＋ＲＷ／＋Ｒ規格である３２Ｔ周期のウォブル２値化信号をＤＶＤ−Ｒ／ＲＷ規格である１８６Ｔ周期のウォブル２値化信号へ変換することで、ＤＶＤ−Ｒ／ＲＷ規格用のＰＬＬ回路を共有し、＋ＲＷ／＋Ｒ規格用の３２逓倍ウォブルＰＬＬ回路を不要とする構成について説明したが、図７に示すように、ＤＶＤ−Ｒ／ＲＷ規格である１８６Ｔ周期のウォブル２値化信号を、ＤＶＤ＋Ｒ／＋ＲＷ規格である３２Ｔ周期のウォブル２値化信号へ変換する１８６Ｔ→３２Ｔ変換回路７０１を設け、後段のＰＬＬ回路として、１／３２分周回路７０２，ＶＣＯ（３２逓倍）７０３を設け、さらに、ＡＤＩＰ→ＬＰＰ変換回路１０７に代えて、ＬＰＰ→ＡＤＩＰ変換回路７０４を設け、ＬＰＰデコーダー１１６に代えてＡＤＩＰデコーダー７０５を設ける構成とすることで、ＤＶＤ＋Ｒ／＋ＲＷ規格用のＰＬＬ回路を共有し、ＤＶＤ−Ｒ／−ＲＷ規格用の１８６逓倍ウォブルＰＬＬ回路を不要とする構成としても同様の効果が得られる。
【００４２】
この場合には、位相補正回路１１０は、ＡＤＩＰ信号に対する、周期を変換したことによる記録データのタイミングずれを補正して位相補償を行なうことになる。また、ＡＤＩＰデコーダー７０５より出力されるアドレスデータ１２０としては、シンクデータ，０データおよび１データが含まれることになる。
【産業上の利用可能性】
【００４３】
本発明にかかる記録クロック生成装置は、ＤＶＤ−Ｒ／ＲＷおよび＋ＲＷ／＋Ｒ記録装置を有する、ＰＣ用途のＤＶＤ−Ｒ／ＲＷおよび＋ＲＷ／＋Ｒ記録ドライブ用システムＬＳＩ等用に有用である。また民生用途のＤＶＤ−Ｒ／ＲＷおよび＋ＲＷ／＋Ｒレコーダー用システムＬＳＩ等の用途にも応用できる。
【図面の簡単な説明】
【００４４】
【図１】本発明の実施の形態１にかかる記録クロック生成装置、を表すブロック図。
【図２】図１に示す３２Ｔ周期ウォブル２値化信号から１８６Ｔ周期ウォブル２値化信号への変換回路の波形を示す図。
【図３】図１に示すＡＤＩＰ信号からランドプリピット信号への変換回路の波形を示す図。
【図４】図１に示す位相補正の波形を示す図。
【図５】ＤＶＤ記録装置の記録データとランドプリピット信号の位置調整の波形を示す図。
【図６】従来の記録クロック生成装置の構成を表すブロック図。
【図７】上記実施の形態１にかかる記録クロック生成装置の変形例による構成を示すブロック図。
【図８（ａ）】３２Ｔ→１８６Ｔ変換回路１０６の詳細な構成を示すブロック図。
【図８（ｂ）】図８（ａ）に示した回路の各部位におけるクロック波形図。
【手続補正３】
【補正対象書類名】図面
【補正対象項目名】全図
【補正方法】変更
【補正の内容】
【図１】
2005031742.tif 000011
【図２】
2005031742.tif 000012
【図３】
2005031742.tif 000013
【図４】
2005031742.tif 000014
【図５】
2005031742.tif 000015
【図６】
2005031742.tif 000016
【図７】
2005031742.tif 000017
【図８（ａ）】
2005031742.tif 000018
【図８（ｂ）】
2005031742.tif 000019
【国際調査報告】
2005031742.tif 000020
2005031742.tif 000021
2005031742.tif 000022
2005031742.tif 000023